【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
プロセッサで翻訳され実行されるための命令セットを含む第１のプログラム層と、前記プロセッサ以外で予め翻訳された命令セットを含む第２のプログラム層とを包含するプログラムを、前記プロセッサで実行する情報処理装置であって、
画像データに対して分割処理と拡大処理を実行する分割拡大手段と、
前記分割拡大手段による分割処理と拡大処理とにより得られた複数の画像データを用いて外部デバイスに対する出力処理を実行する出力手段とを有することを特徴とする情報処理装置。
【請求項２】
前記出力手段は、前記複数の画像データに基づいて１つの拡大画像データを生成し、前記１つの拡大画像データに基づく印刷データを前記外部デバイスに送信することを特徴とする請求項１に記載の情報処理装置。
【請求項３】
前記出力手段は、前記複数の画像データを順次、前記外部デバイスに送信することを特徴とする請求項１に記載の情報処理装置。
【請求項４】
前記画像データの描画結果を表示する表示手段をさらに有することを特徴とする請求項１乃至３のいずれか１項に記載の情報処理装置。
【請求項５】
前記分割拡大手段により得られた前記複数の画像データがハードディスクまたはフラッシュメモリに記憶されることを特徴とする請求項１乃至４のいずれか１項に記載の情報処理装置。
【請求項６】
前記画像データに付加される付加画像は、前記第１のプログラム層により拡大されることを特徴とする請求項１乃至５のいずれか１項に記載の情報処理装置。
【請求項７】
前記分割拡大手段は、
前記外部デバイスとしてのプリンタの解像度に基いて、画像の拡大率を決定する第１の決定手段と、
前記プリンタが備えるメモリの利用可能な容量と前記情報処理装置の記憶手段に確保が可能な容量とに基いて、前記画像の分割数を決定する第２の決定手段とを含むことを特徴とする請求項１乃至６のいずれか１項に記載の情報処理装置。
【請求項８】
前記第１のプログラム層では画像データをテキストデータとして扱い、
前記第２のプログラム層では前記画像データをバイナリデータとして扱うことを特徴とする請求項１乃至７のいずれか１項に記載の情報処理装置。
【請求項９】
前記画像データに対する描画処理は、Ｃａｎｖａｓ又はＳＶＧを用いることを特徴とする請求項１乃至８のいずれか１項に記載の情報処理装置。
【請求項１０】
ユーザから前記画像データに対する画像処理の指示を入力する入力手段と、
前記入力手段により入力された画像処理の指示に従って画像処理を行う画像処理手段とをさらに有することを特徴とする請求項１乃至９のいずれか１項に記載の情報処理装置。
【請求項１１】
前記画像処理手段による画像処理によりベクターデータにより表現される画像が元の画像に対して付加されることを特徴とする請求項１０に記載の情報処理装置。
【請求項１２】
前記第１のプログラム層の命令セットは、ＨＴＭＬ、ＣＳＳ、ＪａｖａＳｃｒｉｐｔのいずれか１つで記述されていることを特徴とする請求項１乃至１１のいずれか１項に記載の情報処理装置。
【請求項１３】
プロセッサで翻訳され実行されるための命令セットを含む第１のプログラム層と、前記プロセッサ以外で予め翻訳された命令セットを含む第２のプログラム層とを包含するプログラムを、前記プロセッサで実行する情報処理装置の処理方法であって、
画像データに対して分割処理と拡大処理を実行し、
前記分割処理と前記拡大処理とにより得られた複数の画像データを用いて外部デバイスに対する出力処理を実行することを特徴とする処理方法。
【請求項１４】
ウェブ標準言語で記述された第１のプログラム層と、ウェブ標準言語とは異なるプログラム言語で記述された第２のプログラム層とを包含するプログラムを実行するコンピュータを、画像データに対して分割処理と拡大処理を実行する分割拡大手段と、前記分割拡大手段による分割処理と拡大処理とにより得られた複数の画像データを用いて外部デバイスに対する出力処理を実行する出力手段として機能させるための前記コンピュータが読み取り可能なプログラム。
【請求項１５】
前記出力手段は、前記複数の画像データに基づいて１つの拡大画像データを生成し、前記１つの拡大画像データに基づく印刷データを前記外部デバイスに送信することを特徴とする請求項１４に記載のプログラム。
【請求項１６】
前記出力手段は、前記複数の画像データを順次、前記外部デバイスに送信することを特徴とする請求項１４に記載のプログラム。
【請求項１７】
前記画像データの描画結果を表示する表示手段として前記コンピュータをさらに機能させるための請求項１４乃至１６のいずれか１項に記載のプログラム。
【請求項１８】
前記分割拡大手段により得られた前記複数の画像データはハードディスクまたはフラッシュメモリに記憶されることを特徴とする請求項１４乃至１７のいずれか１項に記載のプログラム。
【請求項１９】
前記画像データに付加される付加画像は、前記第１のプログラム層により拡大されることを特徴とする請求項１４乃至１８のいずれか１項に記載のプログラム。
【請求項２０】
前記外部デバイスとしてのプリンタの解像度に基いて、画像の拡大率を決定する第１の決定手段と、
前記プリンタが備えるメモリの利用可能な容量と前記コンピュータの記憶手段に確保が可能な容量とに基いて、前記画像の分割数を決定する第２の決定手段として前記コンピュータをさらに機能させることを特徴とする請求項１４乃至１９のいずれか１項に記載のプログラム。
【請求項２１】
前記第１のプログラム層では画像データをテキストデータとして扱い、
前記第２のプログラム層では前記画像データをバイナリデータとして扱うことを特徴とする請求項１４乃至２０のいずれか１項に記載のプログラム。
【請求項２２】
前記画像データに対する描画処理は、Ｃａｎｖａｓ又はＳＶＧを用いることを特徴とする請求項１４乃至２１のいずれか１項に記載のプログラム。
【請求項２３】
ユーザから前記画像データに対する画像処理の指示を入力する入力手段と、
前記入力手段により入力された画像処理の指示に従って画像処理を行う画像処理手段として前記コンピュータをさらに機能させることを特徴とする請求項１４乃至２２のいずれか１項に記載のプログラム。 
【請求項２４】
前記画像処理手段による画像処理によりベクターデータにより表現される画像が元の画像に対して付加されることを特徴とする請求項２３に記載のプログラム。
【請求項２５】
前記ウェブ標準言語は、ＨＴＭＬ、ＣＳＳ、ＪａｖａＳｃｒｉｐｔのいずれか１つであることを特徴とする請求項１４乃至２４のいずれか１項に記載のプログラム。
【手続補正２】
【補正対象書類名】明細書
【補正対象項目名】００１５
【補正方法】変更
【補正の内容】
【００１５】
即ち、プロセッサで翻訳され実行されるための命令セットを含む第１のプログラム層と、前記プロセッサ以外で予め翻訳された命令セットを含む第２のプログラム層とを包含するプログラムを、前記プロセッサで実行する情報処理装置であって、画像データに対して分割処理と拡大処理を実行する分割拡大手段と、前記分割拡大手段による分割処理と拡大処理とにより得られた複数の画像データを用いて外部デバイスに対する出力処理を実行する出力手段とを有することを特徴とする。
【手続補正３】
【補正対象書類名】明細書
【補正対象項目名】００１６
【補正方法】変更
【補正の内容】
【００１６】
また本発明を別の側面から見れば、プロセッサで翻訳され実行されるための命令セットを含む第１のプログラム層と、前記プロセッサ以外で予め翻訳された命令セットを含む第２のプログラム層とを包含するプログラムを、前記プロセッサで実行する情報処理装置の処理方法であって、画像データに対して分割処理と拡大処理を実行し、前記分割処理と前記拡大処理とにより得られた複数の画像データを用いて外部デバイスに対する出力処理を実行することを特徴とする処理方法を備える。
【手続補正４】
【補正対象書類名】明細書
【補正対象項目名】００１７
【補正方法】変更
【補正の内容】
【００１７】
さらに本発明を別の側面から見れば、ウェブ標準言語で記述された第１のプログラム層と、ウェブ標準言語とは異なるプログラム言語で記述された第２のプログラム層とを包含するプログラムを実行するコンピュータを、画像データに対して分割処理と拡大処理を実行する分割拡大手段と、前記分割拡大手段による分割処理と拡大処理とにより得られた複数の画像データを用いて外部デバイスに対する出力処理を実行する出力手段として機能させるための前記コンピュータが読み取り可能なプログラムを備える。